(57)【要約】【課題】供給量に制限のない連続した送気、送水又は吸引を容易に行い、また内視鏡装置及び送気、送水又は吸引に関する機器の携帯化、簡易化が図られるようにする。【解決手段】筒体１４内を例えば第１室１９Ｅと第２室２０Ｅに２分割し、ピストン体１５には、第１室１９Ｅに連通するように、押部１５ａの第１通気孔１９Ｖと第１通気路１９Ｆを形成すると共に、第２室２０Ｅに連通するように、押部１５ａの第２通気孔２０Ｖと第２通気路２０Ｆを形成し、このピストン体１５を元の位置へ復帰させるバネ１６を設ける。上記第１通気口１９Ｖを塞ぎながら押部１５ａを押し、ピストン体１５を往動さると、シリンジ口１９Ｇから送気が行われ、また上記第２通気口２０Ｖを塞ぎながら押部１５ａを押すと、シリンジ口２０Ｇから送気が行われ、押し操作を解除すると、自動的に元の位置に復帰する。これにより、内視鏡装置では、送気、送水が可能になる。【選択図】図１
2010046332.tif 000002
【特許請求の範囲】
【請求項１】
仕切り部で分割された複数の空間部が形成され、この複数の空間部のそれぞれにシリンジ口を設けた筒体と、
この筒体内の複数の空間部を往復動し、後端に押部を有するピストンであって、この押部に設けられた複数の通気孔のそれぞれに対し上記複数の空間部のそれぞれが連通する複数の通気路を形成したピストン体と、
このピストン体と上記筒体との間に配置され、押し操作した上記ピストン体を元の位置へ復帰させるバネと、を含んで構成された自動復帰式シリンジ。
【請求項２】
上記複数の空間部は、上記筒体内を横分割することにより直列配置とし、先端空間部以外の空間部では、上記シリンジ口を上記筒体の側面に設け
上記ピストン体は、上記筒体の複数空間部の内周に密着して往復動するピストン部、及びこのピストン部を支持し、筒体内径よりも小さな外径となる軸部を設けたことを特徴とする請求項１記載の自動復帰式シリンジ。
【請求項３】
上記複数の空間部は、上記筒体内を縦分割することにより並列配置とし、上記シリンジ口を上記筒体の先端側に設けたことを特徴とする請求項１記載の自動復帰式シリンジ。
【請求項４】
送気のためのシリンジ口を、上記筒体において直列又は並列配置とした複数の空間部の先端側に配置し、この複数の空間部に配置されたピストン部の不操作時の位置よりも後側の上記筒体の側面に、吸引口を設け、送気と吸引の両方が行えるようにしたことを特徴とする請求項２又は３記載の自動復帰式シリンジ。
【発明の詳細な説明】
【技術分野】
【０００１】
本発明は自動復帰式シリンジ、特に内視鏡等に配設された送気／送水管を利用して送気／送水するため、また吸引管を介して吸引するために用いられ、送気／送水装置や吸引装置として携帯できるシリンジの構成に関する。
【背景技術】
【０００２】
図１４には、従来の内視鏡装置の構成が示されており、内視鏡（スコープ）は、例えば固体撮像素子を備えた先端部１Ａ、湾曲部を介して設けられた操作部１Ｂ等を有する。この内視鏡には、先端面に配置された観察窓を洗浄するために、送気／送水管３ａ、この送気／送水管３ａから分岐する送水管３ｂ及び送気管３ｃが配設されると共に、処置具を導入する鉗子口４から先端部１Ａの先端面まで処置具挿通チャンネル５ａ、この処置具挿通チャンネル５ａに連結された吸引管５ｂが配設され、上記処置具挿通チャンネル５ａは吸引管としても機能するようになっている。
【０００３】
上記操作部１Ｂには、送水管３ｂと送気管３ｃの切替えと送気／送水の操作をする送気／送水ボタン６ａ、吸引ボタン６ｂ、カメラシャッタボタン６ｃ等が設けられる。そして、上記送水管３ｂには、洗浄水を入れた送水タンク７を介して、送気／送水用ポンプ８が接続され、送気管３ｃには、直接、送気／送水用ポンプ８が接続され、上記吸引管５ｂには、吸引タンク９を介して吸引用ポンプ１０が接続される。
【０００４】
このような内視鏡装置によれば、上記送気／送水ボタン６ａの送水操作（例えば２段目押し）をすると、送気管３ｃが閉じて送水管３ｂが開状態となり、送水タンク７内の洗浄水が内視鏡先端面のノズルから観察窓へ向けて噴射され、送気操作（例えば１段目押し）をすると、送水管３ｂが閉じて送気管３ｃが開状態となり、送気／送水用ポンプ８からの送気が同様に行われる。このような送水と送気により、観察窓に付着した汚れ等を除去することで、被観察体の観察状態を良好に保つことができる。
【０００５】
また、上記吸引ボタン６ａを操作すると、吸引用ポンプ１０の吸引動作によって処置具挿通チャンネル５ａと吸引管５ｂを介して被観察体の液体（内容物）等を吸引し、この液体等を吸引タンク９へ排出することができる。なお、上記説明は機械式バルブの例であるが、電気式ボタン（スイッチ）と開閉バルブを用いて送気／送水、吸引を行うこともできる。
【特許文献１】特開２００３−１３５３９１号公報
【発明の開示】
【発明が解決しようとする課題】
【０００６】
しかしながら、従来の内視鏡装置において送気／送水、吸引を行う場合は、上述のように送気／送水用ポンプ（装置）８や吸引用ポンプ１０が必要となり、この送気／送水用ポンプ８や吸引用ポンプ１０を配置した施設以外の場所では、内視鏡を使用することが困難であるという問題があった。
【０００７】
内視鏡装置の携帯化は、設備の整った施設以外の各種場所での使用、ベッドサイドでの使用、緊急時の使用等を可能にし、また構成の簡易化は、コストの低減に繋がり、送気、送水又は吸引に関する機器の携帯化、簡易化ができれば、利便性の高い内視鏡装置を提供できることになる。
【０００８】
また、一般に用いられるシリンジでは、手動でピストンを押し操作することで、送気、送水又は吸引のいずれかを１回行うことができるが、供給量の制限のない連続した送気、送水又は吸引を容易に行うことはできなかった。
【０００９】
本発明は上記問題点に鑑みてなされたものであり、その目的は、供給量に制限のない連続した送気、送水又は吸引を容易に行うことができると共に、内視鏡装置の携帯化、簡易化に繋がる送気、送水又は吸引に関する機器の携帯化、簡易化を図ることが可能になる自動復帰式シリンジを提供することにある。
【課題を解決するための手段】
【００１０】
上記目的を達成するために、請求項１の発明に係る自動復帰式シリンジは、仕切り部で分割された複数の空間部が形成され、この複数の空間部のそれぞれにシリンジ口（送気口）を設けた筒体と、この筒体内の複数の空間部を往復動し、後端に押部を有するピストンであって、この押部に設けられた複数の通気孔のそれぞれに対し上記複数の空間部のそれぞれが連通する複数の通気路を形成したピストン体と、このピストン体と上記筒体との間に配置され、押し操作した上記ピストン体を元の位置へ復帰させるバネと、を含んで構成されることを特徴とする。
請求項２の発明は、上記複数の空間部は、上記筒体内を横分割することにより直列配置とし、先端空間部以外の空間部では、上記シリンジ口を上記筒体の側面に設け、上記ピストン体は、上記筒体の複数空間部の内周に密着して往復動するピストン部、及びこのピストン部を支持し、筒体内径よりも小さな外径となる軸部を設けたことを特徴とする。
【００１１】
請求項３の発明は、上記複数の空間部は、上記筒体内を縦分割することにより並列配置とし、上記シリンジ口を上記筒体の先端側に設けたことを特徴とする。
請求項４の発明は、上記請求項２又は３の構成において、送気のためのシリンジ口を、上記筒体において直列又は並列配置とした複数の空間部の先端側に配置し、この複数の空間部に配置されたピストン部の不操作時の位置よりも後側の上記筒体の側面に、吸引口を設け、送気と吸引の両方が行えるようにしたことを特徴とする。
【００１２】
本発明の構成によれば、それぞれが独立した複数のシリンジ空間部（ピストンが往復動する空間部）が筒体内に直列に（請求項２）、或いは並列に（請求項３）形成されることになり、親指等により複数の通気孔の中の１つ（又は２つ等）を塞ぎながら押部を押し、ピストン体を往動させれば、該当する空間部内の空気がそれぞれのシリンジ口から押し出され、その後に親指等を離すと、押部の通気孔及び通気路を介して該当する空間部内へ空気が流入しながら、バネによってピストン体は元の位置へ自動的に復帰（復動）する。従って、操作者は、押部を押して離すという動作を繰り返すことにより、複数の中の選択した空間部を用いて連続した送気を行うことができる。
【００１３】
内視鏡装置の場合、例えば筒体に、第１シリンジ口を有する第１空間部と、第２シリンジ口を有する第２空間部を形成すると共に、ピストン体に第１，第２の通気孔と第１，第２の通気路を設け、第１シリンジ口に、連結チューブ等で内視鏡送気管を接続すると共に、第２シリンジ口に、内視鏡送水管に接続された送水タンクを接続すれば、第１シリンジ口から内視鏡送気管を介して送気を行い、第２シリンジ口から送水タンク及び内視鏡送水管を介して洗浄水等を送水することができる。
【００１４】
請求項４を内視鏡装置に適用する場合は、送気、送水のために、上述した２つのシリンジ口を内視鏡へ接続することに加え、筒体側面に設けられた吸引口に、連結チューブ等を用いて内視鏡吸引管を繋いだ吸引タンクを接続すれば、この吸引口からの吸気によって、内視鏡の処置具挿通チャンネル及び吸引管を介して被観察体内の液体等を吸引することができる。
【発明の効果】
【００１５】
本発明の自動復帰式シリンジによれば、押し操作を繰り返すことで、供給量に制限のない連続した送気、送水又は吸引を１つのシリンジで容易に行うことができる。即ち、例えば内視鏡装置において、送気、送水又は吸引を行う場合、送気管、送水管又は吸引管のそれぞれにシリンジを取り付ける必要があり、また１つのシリンジを用いる場合には、それぞれの管にシリンジを接続し直す必要があるが、前者の場合は、複数のシリンジの接続構成が複雑となり、後者の場合は、接続操作が煩雑となる。本願発明は、送気管、送水管又は吸引管にそれぞれのシリンジ口を接続することで、１つのシリンジで、送気、送水又は吸引の中の複数の動作を実行することができる。
【００１６】
また、内視鏡装置に適用すれば、送気／送水に関する機器の携帯化、簡易化、ひいては内視鏡装置の携帯化、簡易化が可能となり、設備の整った施設以外の各種場所、ベッドサイド、緊急時等における内視鏡の使用が容易となり、利便性の高い内視鏡装置が得られるという効果がある。
【発明を実施するための最良の形態】
【００１７】
図１乃至図４には、第１実施例に係る自動復帰式シリンジの構成が示されており、この第１実施例は、２つのシリンジ空間部を直列に配置したものである。図１に示されるように、実施例のシリンジは、円筒状の筒体１４、ピストン体（スライダー）１５及びバネ（スプリング）１６を有してなり、上記筒体１４は、第１筒体１４ａの内側中間部の段差に突き当てるように短い第２筒体１４ｂを取り付け、この第２筒体１４ｂの先端（段差部）に、仕切り板１７を配置することにより、筒体１４内に、ピストン部が往復動するシリンジ空間部としての第１室（前室）１９Ｅと第２室（後室）２０Ｅが形成される。そして、この第１室１９Ｅ（筒体１４）の先端に、第１シリンジ口（送気口）１９Ｇが設けられ、第２室２０Ｅの先端側の筒体１４の側面に、第２シリンジ口２０Ｇが設けられると共に、第１室１９Ｅの後端側で、仕切り板１７の下側の筒体１４の側面に、通気口１４ｄが形成される。
【００１８】
一方、ピストン体１５は、その後端に配置され、親指等で押してピストン動作をするための円板状の押部１５ａと、筒体１４の内径よりも小さい外径とされた円柱棒状の軸部１５ｂを備えると共に、先端に上記筒体１４の内面に密着しながら摺動（往復動）する第１ピストン部（摺動部）１９Ｐ、中間部に同様の第２ピストン部２０Ｐが設けられる。これら第１及び第２のピストン部１９Ｐ，２０Ｐは、円柱棒状の軸部１５ｂの嵌合部（例えば環状溝部）１５ｅに、筒体内面密着用のリング状ゴム（弾性ゴム）部材２１を取り付けることで形成される。
【００１９】
また、ピストン体１５において、上記押部１５ａに第１通気孔１９Ｖと第２通気孔２０Ｖが形成されると共に、上記軸部１５ｂには、軸方向に第１通気孔１９Ｖから軸部先端まで貫通する第１通気路（管路）１９Ｆ、第２通気孔２０Ｖから軸部中間の側面まで貫通する第２通気路２０Ｆが設けられる。更に、上記筒体１４の後側のフランジ部１４ｃとピストン体１５の押部１５ａとの間に（それぞれに係合する状態で）、押したピストン体１５を元の位置へ戻す方向へ付勢する上記バネ１６が設けられる。
【００２０】
図３には、第１実施例のシリンジを内視鏡装置に適用し、送気／送水を行うときの構成が示されており、この場合は、上記筒体１４の第１室１９Ｅの第１シリンジ口１９Ｇに、連結チューブ２３ａを介して内視鏡の送気管が接続され、第２室２０Ｅの第２シリンジ口２０Ｇに、連結チューブ２３ｂを介して洗浄水等を収納する送水タンク２４が取り付けられ、この送水タンク２４は連結チューブ２３ｃを介して内視鏡の送水管に接続される。
【００２１】
このような第１実施例のシリンジによれば、図４（Ａ）の基本状態（不操作時）から、第１通気孔１９Ｖを塞ぎながら押部１５ａを親指等で（バネ１６の付勢力に抗して）押すと、通気口１４ｄから吸気されると共に、第１シリンジ口１９Ｇから第１室１９Ｅ（筒体１４）内の空気が押し出されることで、送気を行うことができ、第２通気孔２０Ｖを塞ぎながら押部１５ａを押すと、第２シリンジ口２０Ｇから第２室２０Ｅ内の空気が押し出されて送気を行うことができる。一方、図４（Ｂ）の状態から、押部１５ａの押し操作を解除すると、第１通気孔１９Ｖ、第２通気孔２０Ｖが開放されると共に、バネ１６によってピストン体１５が後側へ付勢されるので、外気が第１通気孔１９Ｖ、第２通気孔２０Ｖから第１通気路１９Ｆ、第２通気路２０Ｆを通って第１室１９Ｅ、第２室２０Ｅ内へ供給され、また第１室１９Ｅ内に流入した空気が通気口１４ｄから排気され、ピストン体１５が図４（Ａ）の元の状態へ自動的に復帰する。従って、繰り返して押部１５ａを押し操作することにより、選択されたシリンジ口１９Ｇ，２０Ｇから連続して複数回の送気を行うことができる。
【００２２】
図３のように、内視鏡に適用した場合は、第１通気孔１９Ｖを塞ぎながら押部１５ａを押すことで、第１シリンジ口１９Ｇから内視鏡の送気管を介して観察窓に送気が行われ、また第２通気孔２０Ｖを塞ぎながら押部１５ａを押すことで、第２シリンジ口２０Ｇからの送気で、送水タンク２４を介して内視鏡の送水管を介して観察窓に送水が行われる。このようにして、押部１５ａの連続操作により、供給量に制限のない送気又は送水を行うことができる。
【００２３】
図５及び図６には、２つのシリンジ空間部を並列に配置した第２実施例の構成が示されており、図示されるように、第２実施例のシリンジも、円筒状の筒体１１４、ピストン体１１５及びバネ１１６を有してなり、上記筒体１１４は、その円柱空間を縦に２分割するように仕切り板２７を配置することにより、内部に、ピストン部が往復動するシリンジ空間部としての第１室２９Ｅと第２室３０Ｅが並列に形成される。そして、この第１室２９Ｅ（筒体１４）の先端に、第１シリンジ口２９Ｇが設けられ、第２室３０Ｅの先端に、第２シリンジ口３０Ｇが設けられる。
【００２４】
一方、ピストン体１１５は、その後端の円板状の押部１１５ａと、円柱棒状の２本の軸部１１５ｂ，１１５ｃを備えると共に、この軸部１１５ｂの先端に上記第１室２９Ｅの内面に密着しながら摺動する第１ピストン部２９Ｐ、軸部１１５ｃの先端に上記第２室３０Ｅの筒体内面に密着しながら摺動する第２ピストン部３０Ｐが設けられる。これら第１及び第２のピストン部２９Ｐ，３０Ｐは、円柱棒状の軸部１１５ｂ，１１５ｃの嵌合部（例えば環状溝部）１１５ｅに、各室内面密着用の環状ゴム部材２１を取り付けることで形成される。なお、上記軸部１１５ｂ，１１５ｃは、その外周全体が各室２９Ｅ，３０Ｅの内壁に密着するような大きさ（径）としてもよい。
【００２５】
また、ピストン体１１５において、上記押部１１５ａに第１通気孔２９Ｖと第２通気孔３０Ｖが形成されると共に、上記軸部１１５ｂには、軸方向に第１通気孔２９Ｖから軸部先端まで貫通する第１通気路２９Ｆ、上記軸部１１５ｃには、第２通気孔３０Ｖから軸部先端まで貫通する第２通気路３０Ｆが設けられる。更に、上記筒体１１４の後側のフランジ部１１４ｃと押部１１５ａとの間に、往動したピストン体１１５を元の位置へ戻す方向へ付勢する上記バネ１１６が設けられる。
【００２６】
このような第２実施例のシリンジによれば、図５（Ａ）の基本状態（不操作時）から、第１通気孔２９Ｖを塞ぎながら押部１１５ａを親指等で（バネ１１６の付勢力に抗して）押すと、第１シリンジ口２９Ｇから第１室１９Ｅ内の空気が押し出されて送気を行うことができ、第２通気孔３０Ｖを塞ぎながら押部１１５ａを押すと、第２シリンジ口３０Ｇから第２室３０Ｅ内の空気が押し出されて送気を行うことができる。一方、図５（Ｂ）の状態から、押部１１５ａの押し操作を解除すると、第１通気孔２９Ｖ、第２通気孔３０Ｖが開放されると共に、バネ１１６によってピストン体１１５が後側へ付勢されるので、外気が第１通気孔２９Ｖ、第２通気孔３０Ｖから第１通気路２９Ｆ、第２通気路３０Ｆを通って第１室２９Ｅ、第２室３０Ｅ内へ供給され、ピストン体１１５が図５（Ａ）の元の状態へ自動的に復帰する。このようにして、押部１１５ａを繰返し操作することにより、選択されたシリンジ口２９Ｇ，３０Ｇから供給量に制限のない送気を行うことができる。
【００２７】
この第２実施例においても、内視鏡装置に適用し、送気／送水を行うことができ、この場合は、例えば上記第１シリンジ口２９Ｇに、図３と同様に、連結チューブ（２３ａ）を介して内視鏡の送気管を接続し、第２シリンジ口３０Ｇに、連結チューブ（２３ｂ）を介して送水タンク２４を取り付ければよい。これによれば、第１通気孔２９Ｖを塞ぎながら押部１１５ａを押すことで、第１シリンジ口２９Ｇから送気が行われ、また第２通気孔３０Ｖを塞ぎながら押部１１５ａを押すことで、第２シリンジ口３０Ｇからの送気で送水が行われる。
【００２８】
図７乃至図１０には、第３実施例の構成が示されており、この第３実施例は、第１実施例と同様に２つのシリンジ空間部を直列に配置した構成で、吸引も行えるようにしたものである。図７に示されるように、第３実施例のシリンジは、円筒状の筒体２１４、ピストン体２１５及びバネ２１６を有してなり、上記筒体２１４は、第１筒体２１４ａの内側中間部の段差に突き当てるように第２筒体２１４ｂを取り付け、この第２筒体２１４ｂの先端（段差部）に、仕切り板１７を配置することにより、筒体２１４内に、ピストン部が往復動するシリンジ空間部としての第１室３３Ｅと第２室３４Ｅが形成される。そして、この第１室３３Ｅ（筒体２１４）の先端に、第１シリンジ口３３Ｇが設けられ、第２室３４Ｅの先端側の筒体２１４の側面に、第２シリンジ口３４Ｇが設けられる。
【００２９】
一方、ピストン体２１５は、その後端の円板状の押部２１５ａと、筒体２１４の内径よりも小さい外径とされた円柱棒状の軸部１１５ｂを備えると共に、先端に上記筒体２１４の内面に密着しながら往復動する第１ピストン部（摺動部）３３Ｐ、中間部に同様の第２ピストン部３４Ｐが設けられる。この第１及び第２のピストン部３３Ｐ，３４Ｐは、円柱棒状の軸部２１５ｂの嵌合部（例えば環状溝部）２１５ｅに、筒体内面密着用の環状ゴム部材２１を取り付けることで形成される。
【００３０】
また、ピストン体２１５において、上記押部２１５ａに第１通気孔３３Ｖと第２通気孔３４Ｖが形成されると共に、上記軸部２１５ｂには、軸方向に第１通気孔３３Ｖから軸部先端まで貫通する第１通気路３４Ｆ、第２通気孔３４Ｖから軸部中間の側面まで貫通する第２通気路３４Ｆが設けられる。
【００３１】
第３実施例では、吸引のための構成が追加され、上記第１室３３Ｅの後端側で、仕切り板１７の下側の筒体２１４の側面に、吸引口３５Ｇが設けられており、第１室３３Ｅが吸引のための空間部としても利用される。即ち、上記吸引口３５Ｇは、第１室３３Ｅを利用した送気時において、ピストン体２１５を往復動させるための通気口（第１実施例の１４ｄ）としても機能することになる。そして、ピストン体２１５では、押部２１５ａに第３通気孔３５Ｖが形成され、軸部２１５ｂには、この第３通気孔３５Ｖから軸部先端まで貫通する第３通気路３５Ｆが設けられる。更に、上記バネ２１６は、押したピストン体２１５を元の位置へ戻す方向へ付勢するように、上記筒体２１４の後側のフランジ部２１４ｃとピストン体２１５の押部２１５ａとの間に設けられる。
【００３２】
なお、上記第２室３４Ｅの後端側に仕切り板（１７）を設けることで、第２室３４Ｅを閉空間とし、この第２室３４Ｅの後端側に上記吸引口（３５Ｇ）を設けると共に、第３通気孔３５Ｖを短く形成することで、第２室３４Ｅを吸引のための空間部として利用してもよく、また第４の通気孔及び第４の通気路を設け、この第２室３４Ｅを２番目の吸引のための空間部とすることもできる。また、第１乃至第３通気孔３３Ｖ〜３５Ｖは、直線状に配置したが、三角形の３頂点配置のように円周方向に配置することができる。
【００３３】
図９には、第３実施例のシリンジを内視鏡装置に適用したときの構成が示されており、この場合は、上記筒体２１４（第１室３３Ｅ）の第１シリンジ口３３Ｇに、連結チューブ２３ａを介して内視鏡の送気管が接続され、第２シリンジ口３４Ｇ（第２室３４Ｅ）に、連結チューブ２３ｂを介して送水タンク２４が取り付けられ、この送水タンク２４は連結チューブ２３ｃを介して内視鏡の送水管が接続される。また、吸引口３５Ｇに、連結チューブ２３ｄを介して吸引タンク３６が接続され、この吸引タンク３６が連結チューブ２３ｅを介して内視鏡の吸引管に接続される。
【００３４】
このような第３実施例のシリンジによれば、図１０（Ａ）の基本状態（不操作時）から、第１通気孔３３Ｖを塞ぎながら押部２１５ａを押すと、第１シリンジ口３３Ｇから第１室３３Ｅ内の空気が押し出されて送気を行うことができ、第２通気孔３４Ｖを塞ぎながら押部２１５ａを押すと、第２シリンジ口３４Ｇから第２室３４Ｅ内の空気が押し出されて送気を行うことができる。また、第３通気孔３５Ｖを塞ぎながら押部２１５ａを押すと、第１通気路３３Ｆ及び第１通気孔３３Ｖから排気を行いながら、吸引口３５Ｇから第３室３４Ｅ内に空気が流入して吸引を行うことができる。
【００３５】
一方、図１０（Ｂ）の状態から、押部２１５ａの押し操作を解除すると、送気に関しては、第１通気孔３３Ｖ、第２通気孔３４Ｖが開放されると共に、バネ２１６によってピストン体２１５が後側へ付勢されるので、外気が第１通気孔３３Ｖ、第２通気孔３４Ｖから第１通気路３３Ｆ、第２通気路３４Ｆを通って第１室３３Ｅ、第２室３４Ｅ内へ供給されることで、ピストン体２１５が図１０（Ａ）の元の状態へ自動的に復帰する。また、吸引に関する第３通気孔３５Ｖが開放されたときは、第１室３３Ｅ内に流入した空気が第３通気路３５Ｆ及び第３通気孔３５Ｖを通って外部へ排気されることで、ピストン体２１５が元の位置へ戻る。このようにして、押部２１５ａを繰返し操作することにより、供給量に制限のない送気及び吸引を行うことができる。
【００３６】
図９のように、この第３実施例を内視鏡装置に適用した場合は、例えば第１通気孔３３Ｖを塞ぎながら押部２１５ａを押すことで、第１シリンジ口３３Ｇから内視鏡の送気管を介して観察窓に送気が行われ、また第２通気孔３４Ｖを塞ぎながら押部２１５ａを押すことで、第２シリンジ口３４Ｇからの送気で、送水タンク２４を介して内視鏡の送水管を介して観察窓に送水が行われ、更に第３通気孔３５Ｖを塞ぎながら押部２１５ａを押すことで、吸引口３５Ｇから吸引タンク３６及び内視鏡の吸引管（及び処置具挿通チャンネル）を介して被観察体内の流体等の吸引が行われ、この流体等は吸引タンク３６に貯留される。これらの動作では、押部２１５ａを連続して操作することで、選択されたシリンジ口３３Ｇ〜３５Ｇから供給量に制限のない送気、送水又は吸引を行うことができる。
【００３７】
図１１乃至図１３には、第４実施例の構成が示されており、この第４実施例は、第２実施例と同様に２つのシリンジ空間部を並列に配置した構成で、吸引も行えるようにしたものである。図示されるように、第４実施例のシリンジも、円筒状の筒体３１４、ピストン体３１５及びバネ３１６を有してなり、上記筒体３１４は、その円柱空間を縦に３分割するように仕切り板３７を配置することにより、内部に、ピストン部が往復動するシリンジ空間部としての第１室３９Ｅ（図の奥に隠れた部分）、第２室４０Ｅ及び第３室４１Ｅが並列に形成される。
【００３８】
上記第３室４１Ｅは、筒体３１４の上部を仕切り板４３で塞ぐことにより、吸引のための閉空間部とされており、この第３室４１Ｅの先端側には、通気口３１４ｄが形成される。そして、上記第１室３９Ｅ（筒体３１４）の先端に、第１シリンジ口３９Ｇが設けられ、第２室４０Ｅの先端に、第２シリンジ口４０Ｇが設けられ、第３室４１Ｅの中間部で、後述するピストン部（４１Ｐ）の基準（不操作時）位置よりも後側の位置に、吸引口４１Ｇが設けられる。
【００３９】
一方、ピストン体３１５は、その後端の円板状の押部３１５ａと、円柱棒状の３本の軸部３１５ｂ，３１５ｃ，３１５ｄを備えると共に、これら軸部３１５ｂ，３１５ｃ，３１５ｄの先端に各室３９Ｅ〜４１Ｅの内面に密着しながら摺動する第１ピストン部３９Ｐ、第２ピストン部４０Ｐ及び第３ピストン部４１Ｐが設けられる。これら第１乃至第３のピストン部３９Ｐ〜４１Ｐは、円柱棒状の軸部３１５ｂ，３１５ｃ，３１５ｄの嵌合部（例えば環状溝部）３１５ｅに、各室内面密着用の環状ゴム部材２１を取り付けることで形成される。
【００４０】
また、ピストン体３１５において、上記押部３１５ａに第１通気孔３９Ｖ、第２通気孔４０Ｖ及び第３通気口４１Ｖが形成されると共に、上記軸部３１５ｂには、軸方向に第１通気孔３９Ｖから軸部先端まで貫通する第１通気路３９Ｆ、上記軸部３１５ｃには、第２通気孔４０Ｖから軸部先端まで貫通する第２通気路４０Ｆ、上記軸部３１５ｄには、第３通気孔４１Ｖからピストン部４１Ｐの上部の側面に形成された通気口４５まで貫通する第３通気路４１Ｆが設けられる。更に、上記筒体３１４の後側のフランジ部３１４ｃと押部３１５ａとの間に、往動したピストン体３１５を元の位置へ戻す方向へ付勢する上記バネ３１６が設けられる。
【００４１】
図１３には、第４実施例のシリンジを内視鏡装置に適用したときの構成が示されており、この場合は、上記筒体３１４（第１室３９Ｅ）の第１シリンジ口３９Ｇに、連結チューブ２３ａを介して内視鏡の送気管が接続され、第２シリンジ口４０Ｇ（第２室４０Ｅ）に、連結チューブ２３ｂを介して送水タンク２４が取り付けられ、この送水タンク２４は連結チューブ２３ｃを介して内視鏡の送水管が接続される。また、吸引口４１Ｇに、連結チューブ２３ｄを介して吸引タンク３６が接続され、この吸引タンク３６が連結チューブ２３ｅを介して内視鏡の吸引管に接続される。
【００４２】
このような第４実施例のシリンジによれば、図１１（Ａ）の基本状態（不操作時）から、第１通気孔３９Ｖを塞ぎながら押部３１５ａを押すと、第１シリンジ口３９Ｇから第１室３９Ｅ内の空気が押し出されて送気を行うことができ、第２通気孔４０Ｖを塞ぎながら押部３１５ａを押すと、第２シリンジ口４０Ｇから第２室４０Ｅ内の空気が押し出されて送気を行うことができる。また、第３通気孔４１Ｖを塞ぎながら押部３１５ａを押すと、通気口３１４ｄから排気を行いながら、吸引口４１Ｇから第３室４１Ｅ内に空気が流入し、吸引を行うことができる。
【００４３】
一方、図１１（Ｂ）の状態から、押部３１５ａの押し操作を解除すると、送気に関しては、第１通気孔３９Ｖ、第２通気孔４０Ｖが開放されると共に、バネ３１６によってピストン体３１５が後側へ付勢されるので、外気が第１通気孔３９Ｖ、第２通気孔４０Ｖから第１通気路３９Ｆ、第２通気路４０Ｆを通って第１室３９Ｅ、第２室４０Ｅ内へ供給されることで、ピストン体３１５が図１１（Ａ）の元の状態へ自動的に復帰する。また、吸引に関する第３通気孔４１Ｖが開放されたときは、第３室４１Ｅ内に流入した空気が通気口４５から第３通気路４１Ｆ及び第３通気孔４１Ｖを通って外部へ排気されることで、ピストン体３１５が元の位置へ戻る。このようにして、押部３１５ａを繰返し操作することにより、選択されたシリンジ口３９Ｇ〜４２Ｇから供給量に制限のない送気及び吸引を行うことができる。
【００４４】
図１３のように、この第４実施例を内視鏡装置に適用した場合は、例えば第１通気孔３９Ｖを塞ぎながら押部３１５ａを押すことで、第１シリンジ口３９Ｇから内視鏡の送気管を介して観察窓に送気が行われ、また第２通気孔４０Ｖを塞ぎながら押部３１５ａを押すことで、第２シリンジ口４０Ｇからの送気で、送水タンク２４を介して内視鏡の送水管を介して観察窓に送水が行われ、更に第３通気孔４１Ｖを塞ぎながら押部３１５ａを押すことで、吸引口４１Ｇから吸引タンク３６及び内視鏡の吸引管（及び処置具挿通チャンネル）を介して被観察体内の流体等の吸引が行われ、この流体等は吸引タンク３６に貯留される。
【００４５】
上記実施例では、送気に関するシリンジ空間部を２つ、吸引に関するシリンジ空間部を１つ設けた例を示したが、送気に関するシリンジ空間部を３つ設けてもよく、また吸引に関するシリンジ空間部を２つ設けてもよい。また、上記各実施例の説明では、通気孔１９Ｖ〜４１Ｖの１つずつを塞いで操作する場合を説明したが、２つ以上を同時に塞いで操作することも可能である。
【図面の簡単な説明】
【００４６】
【図１】本発明の第１実施例に係る自動復帰式シリンジの構成を示す断面図である。
【図２】第１実施例のシリンジを切断した状態の分解斜視図である。
【図３】第１実施例のシリンジを内視鏡に適用する場合の構成を示す図である。
【図４】第１実施例のシリンジの動作を示し、図（Ａ）は不操作時の断面図、図（Ｂ）は押し操作時の断面図である。
【図５】第２実施例に係る自動復帰式シリンジの構成を示し、図（Ａ）は不操作時の断面図、図（Ｂ）は押し操作時の断面図である。
【図６】第２実施例のシリンジの構成を示し、図（Ａ）はシリンジの分解斜視図、図（Ｂ）は不操作時の斜視図である。
【図７】第３実施例の自動復帰式シリンジの構成を示す断面図である。
【図８】第３実施例のシリンジの構成を示す分解斜視図である。
【図９】第３実施例のシリンジを内視鏡に適用する場合の構成を示す図である。
【図１０】第３実施例のシリンジの動作を示し、図（Ａ）は不操作時の断面図、図（Ｂ）は押し操作時の断面図である。
【図１１】第４実施例の自動復帰式シリンジの構成を示し、図（Ａ）は不操作時の断面図、図（Ｂ）は押し操作時の断面図である。
【図１２】第４実施例のシリンジの構成を示す分解斜視図である。
【図１３】第４実施例のシリンジを内視鏡に適用する場合の構成を示す図である。
【図１４】従来の内視鏡装置の構成を示す図である。
【符号の説明】
【００４７】
１４，１１４，２１４，３１４…筒体、    １４ｄ，４５，３１４ｄ…通気口、
１５，１１５，２１５，３１５…ピストン体、
１５ａ，１１５ａ，２１５ａ，３１５ａ…押部、
１６，１１６，２１６，３１６…バネ、
１９Ｅ，２９Ｅ，３３Ｅ，３９Ｅ…第１室、
２０Ｅ，３０Ｅ，３４Ｅ，４０Ｅ…第２室、    ４１Ｅ…第３室、
１９Ｆ，２９Ｆ，３３Ｆ，３９Ｆ…第１通気路、
２０Ｆ，３０Ｆ，３４Ｆ，４０Ｆ…第２通気路、  ３５Ｆ，４１Ｆ…第３通気路、
１９Ｇ，２９Ｇ，３３Ｇ，３９Ｇ…第１シリンジ口、
２０Ｇ，３０Ｇ，３４Ｇ，４０Ｇ…第２シリンジ口、  ３５Ｇ，４１Ｇ…吸引口、
１９Ｐ，２９Ｐ，３３Ｐ，３９Ｐ…第１ピストン部、
２０Ｐ，３０Ｐ，３４Ｐ，４０Ｐ…第２ピストン部、  ４１Ｐ…第３ピストン部、
１９Ｖ，２９Ｖ，３３Ｖ，３９Ｖ…第１通気孔、
２０Ｖ，３０Ｖ，３４Ｖ，４０Ｖ…第２通気孔、  ３５Ｖ，４１Ｖ…第３通気孔。
【図１】
2010046332.tif 000003
【図２】
2010046332.tif 000004
【図３】
2010046332.tif 000005
【図４】
2010046332.tif 000006
【図５】
2010046332.tif 000007
【図６】
2010046332.tif 000008
【図７】
2010046332.tif 000009
【図８】
2010046332.tif 000010
【図９】
2010046332.tif 000011
【図１０】
2010046332.tif 000012
【図１１】
2010046332.tif 000013
【図１２】
2010046332.tif 000014
【図１３】
2010046332.tif 000015
【図１４】
2010046332.tif 000016